(57)【特許請求の範囲】
【請求項１】
内部に電子回路基板が入れられる基板ケースに用いられ、前記電子回路基板を許可なく取り出すことを不能にする基板ケース用施錠装置において、
半固体状の第１溶液を略密閉保持する第１密閉槽を備え、
前記第１密閉槽は、
当該第１密閉槽の内部から外部へと前記第１溶液が流出可能に設置された第１弁と、
該第１弁が開放しないように付勢する第１付勢手段と、
を備えたものであり、
解錠操作により前記第１付勢手段の付勢力に抗して前記第１弁を開放させる開放手段を備え、
解錠操作により前記第１溶液が前記第１密閉槽から流出する
ことを特徴とする基板ケース用施錠装置。
【請求項２】
請求項１に記載の基板ケース用施錠装置において、
前記開放手段が、
前記第１密閉槽の内圧を高めることにより前記第１弁を開放させるもの、
であることを特徴とする基板ケース用施錠装置。
【請求項３】
請求項１または２に記載の基板ケース用施錠装置において、
半固体状の第２溶液を略密閉保持すると共に前記第１密閉槽に連通する第２密閉槽と、
該第２密閉槽と前記第１密閉槽とが連通する部位に設けられる弁であって、該第２密閉槽から前記第１密閉槽へと前記第２溶液が流入可能に設置された第２弁と、
該第２弁が開放しないように付勢する第２付勢手段と、
当該基板ケース用施錠装置の外部から前記第２密閉槽へと外気が流入可能に設置された第３弁と、
を備え、前記開放手段が、
施錠操作により、前記第２付勢手段の付勢力に抗して前記第２弁を開放させるもの
であることを特徴とする基板ケース用施錠装置。
【請求項４】
請求項３に記載の基板ケース用施錠装置において、
前記第２溶液が、前記第１溶液とは異なる色である
ことを特徴とする基板ケース用施錠装置。
【発明の詳細な説明】
【０００１】
【発明の属する技術分野】
本発明は、ＲＯＭなどの電子機器が実装された回路基板を収納するための基板ケースに用いられる基板ケース用施錠装置に関する。
【０００２】
【従来の技術】
従来の遊技機においては、その裏面側に、遊技の制御を行なう回路基板を収容した基板ケースが設けられている。パチンコ機の場合、回路基板には遊技制御を行なう主制御装置や球払出装置を制御する払出制御装置などの制御回路を成すＩＣや抵抗などの各種電子部品が実装されており、基板ケースはこの回路基板を外部から保護する役割をしている。
【０００３】
【発明が解決しようとする課題】
しかしながら、近年、このようなパチンコ機が設置されたパチンコホールにて、記憶されたプログラムにしたがい大当たりの発生・非発生などを判定している主制御装置のＲＯＭが不正に交換されている。
【０００４】
同様の事態は、パチンコ機以外の基板ケースにおいても発生しうる。
本発明はかかる課題に鑑みなされたもので、基板ケースが開放されたときにはその痕跡を残すことにより、ＲＯＭ等が不正に交換されるのを防止することを目的としている。
【０００５】
【課題を解決するための手段】
かかる課題を解決するためになされた本発明の請求項１に記載の基板ケース用施錠装置は、内部に電子回路基板が入れられる基板ケースに用いられ、前記電子回路基板を許可なく取り出すことを不能にする基板ケース用施錠装置において、
半固体状の第１溶液を略密閉保持する第１密閉槽を備え、
前記第１密閉槽は、
当該第１密閉槽の内部から外部へと前記第１溶液が流出可能に設置された第１弁と、
該第１弁が開放しないように付勢する第１付勢手段と、
を備えたものであり、
解錠操作により前記第１付勢手段の付勢力に抗して前記第１弁を開放させる開放手段を備え、
解錠操作により前記第１溶液が前記第１密閉槽から流出することを特徴とする。
【０００６】
請求項２に記載の本発明は、請求項１に記載の基板ケース用施錠装置において、
前記開放手段が、
前記第１密閉槽の内圧を高めることにより前記第１弁を開放させるものであることを特徴とする。
【０００７】
請求項３に記載の本発明は、請求項１または２に記載の基板ケース用施錠装置において、
半固体状の第２溶液を略密閉保持すると共に前記第１密閉槽に連通する第２密閉槽と、
該第２密閉槽と前記第１密閉槽とが連通する部位に設けられる弁であって、該第２密閉槽から前記第１密閉槽へと前記第２溶液が流入可能に設置された第２弁と、
該第２弁が開放しないように付勢する第２付勢手段と、
当該基板ケース用施錠装置の外部から前記第２密閉槽へと外気が流入可能に設置された第３弁と、
を備え、前記開放手段が、
施錠操作により、前記第２付勢手段の付勢力に抗して前記第２弁を開放させるものであることを特徴とする。
【０００８】
請求項４に記載の本発明は、請求項３に記載の基板ケース用施錠装置において、
前記第２溶液が、前記第１溶液とは異なる色であることを特徴とする。
【００１０】
【発明の実施の形態】
請求項１に記載の基板ケース用施錠装置（以下、単に施錠装置とも言う）は、施錠を解除すると、液体槽内に略密閉された半固体状の第１溶液が流出する。ここで略密閉とは、施錠を解除すると液体槽内の第１溶液が流出するので完全密閉ではない、という意味である。
この施錠装置は、具体的には、第１溶液を略密閉する第１密閉槽が、その内部から外部へと第１溶液が流出可能に設置された第１弁と、この第１弁が開放しないように付勢する第１付勢手段とを備えたものとなっている。すなわち第１弁は、第１溶液を第１密閉槽から流出させるように設置されてはいるものの、第１付勢手段によって付勢されているため、第１溶液は第１密閉槽から流出できない。
そしてこの第１弁を開くものとして開放手段を備えており、施錠を解除すると、開放手段が第１付勢手段の付勢力に抗して第１弁を開放させる。これにより第１溶液は、第１密閉槽の内部から外部へと流出する。
【００１１】
このような施錠装置によれば、液体槽内の第１溶液の流出という痕跡により、施錠が解除されたことを知ることができる。これが不正に行なわれたものであれば（施錠を正規に解除する際には、その日時などを記録する習慣がある。この記録が無ければその解除が不正であることが分かる）、ＲＯＭを正規のものに交換する等の処置をすればよい。そしてこのように、この施錠装置によれば、不正にＲＯＭなどを交換しても施錠が解除されたことが知られてしまうので、不正行為の実行者は期待した効果を享受できない。これにより以降、不正行為を行なう意味が無くなる。
【００１２】
従って、この施錠装置によれば、ＲＯＭが不正に交換されるのを防止することができる。また流出した液体を再び液体槽内に戻すのは極めて困難であるため、この痕跡を消去するのは不可能に近い。
【００１３】
尚、半固体状とは、ゾル状、ゲル状、またはクリーム状である様子を指す。ゲル状にすると、流出させるのに高い圧力が必要という難点があるが、流出後にゲル状溶液がその場に留まり、むやみに広がらないという利点がある。
【００１４】
次に、請求項２に記載の施錠装置のようにすることが考えられる。すなわち請求項２に記載の施錠装置では、開放手段を、第１密閉槽の内圧を高めることにより第１弁を開放させるものとしている。つまりこの開放手段が第１密閉槽の内圧を高め、その圧力が第１付勢手段の付勢力を上回ると第１弁が開放して、第１溶液が第１密閉槽から流出する。
【００１５】
請求項３に記載の施錠装置は、第１密閉槽に連通する第２密閉槽を備えたものであり、これら両密閉槽が連通する部位に第２弁を設けている。第２弁は、第２密閉槽内の溶液（第２溶液）が第１密閉槽へと流入可能に設置されているが、第２付勢手段によって開放しないように付勢されている。また第２密閉槽には、当該基板ケース用施錠装置の外部から第２密閉槽へと外気が流入可能な第３弁を備えている。
【００１６】
このような施錠装置によれば、施錠を解除すると、第１溶液が第１密閉槽から流出し、その後に施錠をすると、第２の溶液が第２弁を介して第１密閉槽に流入する。このとき第２密閉槽には第３弁を介して外気が流入する。再度、施錠が解除されると、第１密閉槽内の第２溶液が第１弁を介して流出する。つまりこの施錠装置によれば、施錠が解除されたことを２回まで知ることができる。また、この施錠装置において、第１溶液を第１密閉槽に入れる事および第２溶液を第２密閉槽に入れる事を止め、次のように用いても良い。すなわち、一度も施錠をしていない状態で、第１溶液を第３弁を介して第２密閉槽に入れておき、施錠を行なう。すると、第１溶液が第２密閉槽から第２弁を介して第１密閉槽に流入し、請求項３に記載の施錠装置において施錠がなされた状態が創出される。
【００１７】
なお、第２溶液は第１溶液と全く同じ物質でも構わない。また、第２密閉槽のみに連通する第３の密閉槽を設け、これに第３の溶液を入れても良い。その際、第３弁は施錠装置外から外気の流入を許すものではなく、第３の密閉槽から第３の溶液の流入を許すものにする。そして第３の密閉槽に当該基板ケース用施錠装置の外部から第３の密閉槽へと外気が流出可能な第４の弁を設ける。こうすると、施錠を解除後に再び施錠をする際に、第２溶液が第１密閉槽に流入し、第３の溶液が第２密閉槽に流入する。この施錠を解除すると、第２溶液が第１密閉槽から流出する。再び施錠をすると、第３の溶液が第２密閉槽から第１密閉槽に流入する。この施錠を解除すると第３溶液が第１密閉槽から流出する。つまり、施錠が解除されたことを３回まで知ることができる。
【００１８】
請求項４に記載の施錠装置では、第２溶液が、第１溶液とは異なる色にされている。ここで仮に第１溶液を緑、第２溶液を赤とする。こうすると、緑の溶液が流出している場合には、施錠が１回解除され、赤が流出している場合には、施錠が２回解除されたことになる。
【００１９】
このような施錠装置によれば、第２密閉槽が空になっているか否かなどを確かめることなく、流出した溶液の色を見ることによって施錠が解除された回数を知ることができる。なお、前記した第３の溶液を用いる施錠装置の場合には、第１、第２、第３の溶液を全て異なる色としても良い。
【００２２】
【実施例】
以下に、本発明の実施例を図面と共に説明する。まず図１は、本発明の１実施例である施錠装置１が適用された基板ケース３の説明図であり、図１（ａ）がその平面図、図１（ｂ）はその正面図である。ただし両図とも適宜、基板ケース３の内部を透視して示している。
【００２３】
施錠装置１が固定された基板ケース３は、透明の樹脂にて形成されており、その４隅をボルト５によりベース７に固定されている。このベース７には電子回路基板９も固定されており、基板ケース３はこの電子回路基板９を覆っている。電子回路基板９にはピラー１１が立設されており、これの側面に形成された切欠１１ａに施錠装置１のアーム１３が係止することにより、たとえボルト５を外してもベース７から基板ケース３を取り外せないようになる。本図はアーム１３が切欠１１ａに係止した状態（つまり施錠された状態）を示している。アーム１３は、施錠装置１の鍵穴１５に正規の鍵を差し込んで鍵を回動させることにより、施錠装置１の中心を軸として回動される。図１（ａ）においてアーム１３が時計回りに回動されるとアーム１３が切欠１１ａから外れ、基板ケース３をベース７から取り外せるようになる。なお、本図では省略したが電子回路基板９には様々な電子部品が実装されている。
【００２４】
図２は、施錠装置１のＡ−Ａ断面を示すものである。施錠装置１の筐体１７は略円筒状の部材で、内部が仕切円盤１９にて上下２つに分けられている。その上部空間には周知のシリンダー錠機構が収められている。そのシリンダロータ２１には、アーム１３がシャフト２３を介して固定されている。シャフト２３は仕切円盤１９の下方空間まで伸びている。この下方空間は、その一部が第１密閉槽２５となっており、第１流路２７を介して施錠装置１の外部と繋がっている。第１流路２７には第１弁２９が設けられており、第１密閉槽２５内の溶液（後述）は第１弁２９が開くと施錠装置１外へ流出するが、この逆方向へは流れないようにされている。但し、第１弁２９には第１バネ３１が取り付けられており、これにより第１弁２９が開放しないように付勢されている。つまり第１バネ３１は、本発明の第１付勢手段に相当する。
【００２５】
施錠装置１の側面には、略円筒状の補助密閉部３３が取り付けられている。補助密閉部３３は、第２密閉槽３４と第３密閉槽（本図において第２密閉槽３４の奥方向に存在）に分かれており、第２密閉槽３４と第１密閉槽２５とは第２流路３５により連通している。第２流路３５には第２弁３７が設けられており、第２密閉槽３４内の溶液（後述）は第２弁３７が開くと第１密閉槽２５内へ流入するが、この逆方向へは流れないようにされている。但し、第２弁３７にも第２バネ３９が取り付けられており、これにより第２弁３７は開放しないように付勢されている。つまり第２バネ３９は、本発明の第２付勢手段に相当する。この部分を拡大したのが図３（ａ）である。ただし本図並びに図２において、第１弁２９、第２弁３７、およびこれらに関する構成は、筐体１７の周方向に沿ってずらし、第１流路２７、第２流路３５などの図示の便宜を図っている。
【００２６】
また図２において第３弁４１は、第３密閉槽内の溶液（後述）が第２密閉槽３４へ流入することのみを許可するもので、第３バネ４３は第３弁４１が開かないように付勢をしている。そして第４弁４５は、流体（通常、外気）が第３密閉槽内へ流入することのみを許可するもので、第４バネ４７は第４弁４５が開かないように付勢している。
【００２７】
図３（ｂ）は、施錠装置１をシャフト２３に垂直な方向に断面にして上方から見た図である。断面の位置は、図示の便宜上、筐体１７については第２弁３７の位置、補助密閉部３３については第３弁４１の位置となっている。本図に示すように補助密閉部３３内は、隔壁５３により第２密閉槽３４と第３密閉槽５５に分けられている。一方、筐体１７内では、筐体１７に固定されたストッパー壁６１と、点Ｐを軸としてシャフト２３と共に回転される可動壁６３との間の空間が第１密閉槽２５となっている。補助密閉部３３は筐体１７に対して図示しないボルトにより取り外し可能に固定される。なお本図および図４では、アーム１３、第４弁４５についても仮想的に示した。
【００２８】
図４に、施錠装置１の使い方を示す。まず図４（ａ）は一度も施錠を行なっていない状態である。この状態では、図３（ｂ）の状態からアーム１３が時計回りに回動しており、切欠１１ａ（図１参照）から外れている。従って、基板ケース３（図１参照）をベース部７から自由に取り外すことができる。そしてこのとき第２密閉槽３４には緑色の半固体状溶液Ｇ（本発明の第１溶液に相当）、第３密閉槽５５には赤色の半固体状溶液Ｒ（本発明の第２溶液に相当）がそれぞれ入っている。なお、緑色の半固体状溶液Ｇ、赤色の半固体状溶液Ｒは共に絶縁性となっている。図４（ａ）の状態は、補助密閉部３３を筐体１７から取り外し、各密閉槽３４、５５に対応する半固体状溶液を入れた後、筐体１７に取り付けることにより創出される。この状態から施錠をしたのが図４（ｂ）である。
【００２９】
施錠をすると、アーム１３が反時計回りに回動して図示しない切欠１１ａに係止すると共に、可動壁６３も同方向に回動して第１密閉槽２５内を負圧にする。この圧力が第２バネ３９の付勢力を上回ると第２弁３７が開放し、第２密閉槽３４内の緑色の半固体状溶液Ｇが第１密閉槽２５内に流入する。このとき第２密閉槽３４内も負圧となるから、第３バネ４３の付勢力を上回ったときに赤色の半固体状溶液Ｒが第２密閉槽３４に流入する。第３密閉槽５５には第４バネ４７を介して外気が流入する。こうして緑色の半固体状溶液Ｇ、および赤色の半固体状溶液Ｒの移動が完了した様子が図４（ｂ）である。
【００３０】
この状態から施錠状態を解いたのが図４（ｃ）である。本図では、可動壁６３が再び図４（ａ）の位置に戻ったため、この途中で第１密閉槽２５内の圧力が増加して第１バネ３１の付勢力を上回り、第１弁２９が開放される（第１弁２９、第１バネ３１については図２、図３（ａ）参照）。つまり可動壁６３が本発明の開放手段に相当する。第２弁３７は第２密閉槽３４から第１密閉槽２５への流入のみを許すものであるため、緑色の半固体状溶液Ｇは、第２密閉槽３４内に戻ることはできず、第１弁２９を介して筐体１７の外部へ流出している。
【００３１】
この状態から再び施錠したのが図４（ｄ）である。本図は、図４（ｂ）に比べ、第１密閉槽２５内に赤色の半固体状溶液Ｒが入り、且つ第２密閉槽３４内が空になっている点が異なる。これは、施錠時に、アーム１３と共に可動壁６３が反時計回りに回動して第１密閉槽２５内を負圧にし、図４（ｃ）と略同様に第２密閉槽３４内の赤色の半固体状溶液Ｒが第１密閉槽２５内に流入したことにより創出される状態である。仮に図４（ｃ）から施錠解除が不正に行なわれた後に施錠がなされても、流出した緑色の半固体状溶液Ｇを見ることにより基板ケース３が開放されたことが分かる。
【００３２】
この状態から再度施錠状態を解いたのが図４（ｅ）である。本図では、可動壁６３が三たび図４（ａ）の位置に戻ったため、第１密閉槽２５内にあった赤色の半固体状溶液Ｒは、筐体１７の外部へ流出している。この状態から施錠がなされても、流出した赤色の半固体状溶液Ｒを見ることにより基板ケース３が開放されたことが分かる。
【００３３】
つまり施錠装置１によれば、流出した半固体状溶液の色を見ることにより、施錠が解除されたことを２回まで知ることができる。また施錠の解除の際に緑色の半固体状溶液Ｇまたは赤色の半固体状溶液Ｒが電子回路基板９上に流出してもこれらはいずれも絶縁性となっているため、電子回路基板９がショートを起こす心配はない。
【００３４】
以上、本発明を適用した実施例として、施錠装置１について説明してきたが、本発明はこの実施例に何等限定されるものではなく様々な態様で実施しうる。
例えば、施錠機構をシリンダー錠以外の機構にしてもよいし、アーム１３が切欠１１ａに係止する、という態様以外の仕組みで基板ケース３を解放できないようにしてもよい。もちろん基板ケース３の形状や電子回路基板９を内部に封止する仕組みも図１とは異なる態様にして構わない。また、補助密閉部３３は、第２密閉槽３４・第３密閉槽５５の２つの密閉槽を備えるものとしたが、３つ以上の密閉槽を備えたものとしても良い。例えば、密閉槽を４つにし、それぞれに流路および弁を適宜設置すれば、施錠が解除されたことを４回まで知ることができる。この際には、各密閉槽に入れられる半固体状溶液をすべて異なる色にすることが望ましい。また半固体状溶液の色は、緑、赤、…とする必要はない。互いに判別可能かつ作成可能な色であれば、青、黄色、紫など様々な色を様々な順序で用いることができる（これは補助密閉部３３が密閉槽を２つしか備えない場合も同様）。
【００３５】
補助密閉部３３を略円筒状以外の形状（例えば、ドーム状）にしても構わない。また補助密閉部３３を透明にしても良い。こうすれば、第２密閉槽３４に半固体状溶液Ｒが入っていれば１度も施錠が解除されていないことが分かり、何も入っていなければ少なくとも一度解除されたことが分かる。これは特に密閉槽を３つ以上、補助密閉部３３に形成した場合に有効で、半固体状溶液が全て同じ色であっても何度解除されたことをある程度知ることができる。例えば、密閉槽が４個で、その内の３個が空になっていれば施錠が２回解除されたことが分かり、全て空になっていれば３回以上施錠が解除されたことが分かる。
【００３６】
第１弁２９、第２弁３９などの弁の構造や、第１バネ３１や第２バネ３９などの本発明の第１付勢手段や第２付勢手段に相当する構成の構造も、前述したものと異なるものにしても良い。同様の作用をするものであれば、これらと置き換えても施錠装置１と同様の効果を奏する装置となる。
【図面の簡単な説明】
【図１】  本発明の１実施例である施錠装置１が適用された基板ケース３の外観図である。
【図２】  施錠装置１の内部の概要を示す断面図である。
【図３】  施錠装置１の内部の概要を示す断面図である。
【図４】  施錠・解錠操作により溶液が移動する様子を示す説明図である。
【符号の説明】
１…施錠装置            ３…基板ケース
５…ボルト                  ７…ベース
９…電子回路基板          １１…ピラー
１１ａ…切欠                １３…アーム
１５…鍵穴                    １７…筐体
１９…仕切円盤      ２１…シリンダロータ
２３…シャフト          ２５…第１密閉槽
２７…第１流路              ２９…第１弁
３１…第１バネ          ３３…補助密閉部
３４…第２密閉槽          ３５…第２流路
３７…第２弁              ３９…第２バネ
４１…第３弁              ４３…第３バネ
４５…第４弁              ４７…第４バネ
５３…隔壁              ５５…第３密閉槽
６１…ストッパー壁          ６３…可動壁
Ｇ…緑色の半固体状溶液
Ｒ…赤色の半固体状溶液
【図１】
0004644915.tif 000002
【図２】
0004644915.tif 000003
【図３】
0004644915.tif 000004
【図４】
0004644915.tif 000005